(57)【要約】      （修正有）【課題】浴水循環ろ過システムを停止せずに薬剤の補充を行うことができると共に、薬剤の減り具合や浴水との反応状況を目視でき、更に、薬剤の浴水への注入量を微調整することも可能となる浴水循環ろ過システムに用いる薬剤注入装置、並びにこの薬剤注入装置を備えた浴水循環消毒システムを提供する。【解決手段】浴水導入部４に、薬剤５を収容可能な収容体６を設け、この収容体６は内部を透視可能にして開閉自在に構成し、浴水導入部４に、浴水循環ろ過システムＡから循環する浴水を収容体６内へと導入可能な導入連通部７Ａと，薬剤５により消毒された浴水を導出可能な導出連通部７Ｂとから成る浴水案内経路部７を設け、少なくともこの導入連通部７Ａに開閉弁９を設けことで浴水循環ろ過システムＡを運転停止せずに薬剤５を補充し得るように構成すると共に、この開閉弁９は、導入連通部７Ａより収容体６内へと導入する浴水の導入量を微調整可能に構成する。【選択図】図１
2005211515.tif 000002
【特許請求の範囲】
【請求項１】
ポンプ装置により浴槽の浴水を集水し、この集水した浴水をろ過装置部でろ過した後に再び浴槽へと循環せしめる浴水循環ろ過システムに設置し得るものであって、前記浴水循環ろ過システムの途中部に対して固定可能な固定手段を備えた浴水導入部に、浴水消毒用の薬剤を収容可能な収容体を設けると共に、この収容体は内部を透視可能にして開閉自在に構成し、前記浴水導入部に、前記浴水循環ろ過システムの途中部と前記収容体とを連通して前記浴水循環ろ過システムから循環する浴水を収容体内へと導入可能な導入連通部と，収容体内で前記薬剤により消毒された浴水を浴水循環ろ過システムへと導出可能な導出連通部とから成る浴水案内経路部を設け、少なくともこの導入連通部に開閉弁を設けて、この開閉弁を閉じることで前記浴水循環ろ過システムを運転停止せずに前記収容体を開放して前記薬剤を補充し得るように構成すると共に、この開閉弁は、導入連通部より収容体内へと導入する浴水の導入量を微調整可能に構成したことを特徴とする浴水循環ろ過システムに用いる薬剤注入装置。
【請求項２】
前記浴水導入部は、前記固定手段を介して前記浴水循環ろ過システムの循環経路を構成する配管に対し固定し得るように構成したことを特徴とする請求項１記載の浴水循環ろ過システムに用いる薬剤注入装置。
【請求項３】
複数の前記浴水案内経路部を、夫々が前記浴水導入部に対し異なる方向を向くようにしてこの浴水導入部に設け、この複数の浴水案内経路部を選択使用し得るように構成したことを特徴とする請求項１，２のいずれか１項に記載の浴水循環ろ過システムに用いる薬剤注入装置。
【請求項４】
浴槽に、この浴槽の浴水を集水する集水部と、この集水部から集水した浴水を浴槽へ循環供給する供給部とから成る循環経路を設けると共に、この循環経路にポンプ装置を設け、この循環経路の途中部に、浴水消毒用の薬剤を収納可能な収容体を備えた浴水導入部を設け、この収容体は内部を透視可能にして開閉自在に構成し、前記浴水導入部に、前記循環経路の途中部と前記収容体とを連通して循環経路で循環する浴水を収容体内へと導入可能な導入連通部と，収容体内で前記薬剤により消毒された浴水を循環経路へと導出可能な導出連通部とから成る浴水案内経路部を設け、少なくともこの導入連通部に開閉弁を設けて、この開閉弁を閉じることで前記ポンプ装置を運転停止せずに前記収容体を開放して前記薬剤を補充し得るように構成すると共に、この開閉弁は、導入連通部より収容体内へと導入する浴水の導入量を微調整可能に構成したことを特徴とする浴水循環消毒システム。
【請求項５】
前記浴水導入部を、前記循環経路を構成する配管に対して固定したことを特徴とする請求項４記載の浴水循環消毒システム。
【請求項６】
複数の前記浴水案内経路部を、夫々が前記浴水導入部に対し異なる方向を向くようにしてこの浴水導入部に設け、この複数の浴水案内経路部を選択使用し得るように構成したことを特徴とする請求項４，５のいずれか１項に記載の浴水循環消毒システム。
【発明の詳細な説明】
【技術分野】
【０００１】
本発明は、例えば温泉施設に設備された浴水循環ろ過システムに用いる薬剤注入装置並びに、例えば温泉施設に設置する浴水循環消毒システムに関するものである。
【背景技術】
【０００２】
例えば、温泉施設には、浴槽内の浴水を循環させて除菌・浄化させる浴水循環ろ過システムＡが設備されたものがある。
【０００３】
この浴水循環ろ過システムＡを簡単に説明すると、図１２のように、浴槽２の浴水を集水する集水管部10と，この集水管部10から集水した浴水を浴槽２へ供給する供給管部11とから成る循環経路12（配管12Ａ）と、前記集水管部10から浴水を集水しこの集水した浴水を前記供給管部11から浴槽２へと循環せしめるポンプ装置１と、前記循環経路12を循環する浴水をろ過するろ過装置部３とを備えた構成となっている。図中符号23は昇温装置である。
【発明の開示】
【発明が解決しようとする課題】
【０００４】
ところで、この種の浴水循環ろ過システムＡは、内部でバイオフィルムが形成され、このバイオフィルム内でレジオネラ菌などの人体に有害な菌が繁殖するために、定期的に洗浄し、殺菌，消毒を行う必要がある。
【０００５】
この浴水の殺菌，消毒は、例えば、塩素を含む薬剤（例えば、行政庁が指導している次亜塩素酸ソーダ）をシステムＡに備え付けられた薬注装置14からシステムＡ内に注入することで行われるが、この殺菌，消毒を行っている途中で薬剤がなくなった際には、システムＡ全体の運転を一旦停止してから薬剤の補充を行う必要があり、簡単には補充を行えない。
【０００６】
また、従来、薬剤の補充を簡単に行えたり、一目で薬剤の減り具合を確認できたり、浴水循環ろ過システムＡに対して取り付けできるような小型の薬剤注入装置はない。
【０００７】
本発明は、この点、小型化が可能で浴水循環機に対して簡単に後付け設置でき、また、浴水循環ろ過システムをストップすることなく簡単に薬剤の補充を行うことができると共に、薬剤の減り具合や浴水との反応状況を目視でき、更に、薬剤の浴水への注入量を微調整することも可能となる取り扱い性に秀れた画期的な浴水循環ろ過システムに用いる薬剤注入装置、並びにこの薬剤注入装置を備えた浴水循環消毒システムを提供するものである。
【課題を解決するための手段】
【０００８】
添付図面を参照して本発明の要旨を説明する。
【０００９】
ポンプ装置１により浴槽２の浴水を集水し、この集水した浴水をろ過装置部３でろ過した後に再び浴槽２へと循環せしめる浴水循環ろ過システムＡに設置し得るものであって、前記浴水循環ろ過システムＡの途中部に対して固定可能な固定手段４Ｂを備えた浴水導入部４に、浴水消毒用の薬剤５を収容可能な収容体６を設けると共に、この収容体６は内部を透視可能にして開閉自在に構成し、前記浴水導入部４に、前記浴水循環ろ過システムＡの途中部と前記収容体６とを連通して前記浴水循環ろ過システムＡから循環する浴水を収容体６内へと導入可能な導入連通部７Ａと，収容体６内で前記薬剤５により消毒された浴水を浴水循環ろ過システムＡへと導出可能な導出連通部７Ｂとから成る浴水案内経路部７を設け、少なくともこの導入連通部７Ａに開閉弁９を設けて、この開閉弁９を閉じることで前記浴水循環ろ過システムＡを運転停止せずに前記収容体６を開放して前記薬剤５を補充し得るように構成すると共に、この開閉弁９は、導入連通部７Ａより収容体６内へと導入する浴水の導入量を微調整可能に構成したことを特徴とする浴水循環ろ過システムに用いる薬剤注入装置に係るものである。
【００１０】
また、前記浴水導入部４は、前記固定手段４Ｂを介して前記浴水循環ろ過システムＡの循環経路12を構成する配管12Ａに対し固定し得るように構成したことを特徴とする請求項１記載の浴水循環ろ過システムに用いる薬剤注入装置に係るものである。
【００１１】
また、複数の前記浴水案内経路部７を、夫々が前記浴水導入部４に対し異なる方向を向くようにしてこの浴水導入部４に設け、この複数の浴水案内経路部７を選択使用し得るように構成したことを特徴とする請求項１，２のいずれか１項に記載の浴水循環ろ過システムに用いる薬剤注入装置に係るものである。
【００１２】
また、浴槽２に、この浴槽２の浴水を集水する集水部10と、この集水部10から集水した浴水を浴槽２へ循環供給する供給部11とから成る循環経路12を設けると共に、この循環経路12にポンプ装置１を設け、この循環経路12の途中部に、浴水消毒用の薬剤５を収納可能な収容体６を備えた浴水導入部４を設け、この収容体６は内部を透視可能にして開閉自在に構成し、前記浴水導入部４に、前記循環経路12の途中部と前記収容体６とを連通して循環経路12で循環する浴水を収容体６内へと導入可能な導入連通部７Ａと，収容体６内で前記薬剤５により消毒された浴水を循環経路12へと導出可能な導出連通部７Ｂとから成る浴水案内経路部７を設け、少なくともこの導入連通部７Ａに開閉弁９を設けて、この開閉弁９を閉じることで前記ポンプ装置１を運転停止せずに前記収容体６を開放して前記薬剤５を補充し得るように構成すると共に、この開閉弁９は、導入連通部７Ａより収容体６内へと導入する浴水の導入量を微調整可能に構成したことを特徴とする浴水循環消毒システムに係るものである。
【００１３】
また、前記浴水導入部４を、前記循環経路12を構成する配管12Ａに対して固定したことを特徴とする請求項４記載の浴水循環消毒システムに係るものである。
【００１４】
また、複数の前記浴水案内経路部７を、夫々が前記浴水導入部４に対し異なる方向を向くようにしてこの浴水導入部４に設け、この複数の浴水案内経路部７を選択使用し得るように構成したことを特徴とする請求項４，５のいずれか１項に記載の浴水循環消毒システムに係るものである。
【発明の効果】
【００１５】
本発明は上述のように構成した、収容体内の薬剤を透視できるため、薬剤の補充時期や浴水と薬剤との反応状況を簡単に視認することができ、しかも、開閉弁を閉じることで浴水循環ろ過システムを運転停止せずに薬剤の補充を簡単に行えるし、この開閉弁により薬剤（と反応した浴水）の導出量を微調整して浴水中の薬剤濃度を危険性のない濃度とすることができるなど、極めて実用性に秀れた画期的な浴水循環ろ過システムに用いる薬剤注入装置並びに浴水循環消毒システムとなる。
【００１６】
また、特に請求項１記載の発明においては、例えば、温泉施設などに既設された浴水循環ろ過システムに対しても簡単に後付することが可能であると共に、本装置は単に浴水導入部に収容体を設けるだけの構成のため、小型化が可能で取り扱い容易な装置を簡易に設計実現可能となるなど、極めて実用性に秀れた画期的な浴水循環ろ過システムに用いる薬剤注入装置となる。
【００１７】
また、請求項２，５記載の発明においては、薬剤注入装置（浴水導入部）を浴水循環ろ過システム（循環経路）に対して所望の位置に簡単に固定可能となる一層実用性に秀れた構成となる。
【００１８】
また、請求項３，６記載の発明においては、複数の浴水案内経路部を選択使用することで、浴水導入部に対する収容体の取り付け状態を変更できる。従って、既存の浴水循環ろ過システムに対して本薬剤注入装置を設置する場合には、浴水循環ろ過システムの配管のレイアウトや取り付け箇所などに応じて本装置の形態を変化させて対応使用できるし、本発明の浴水循環消毒システムを設備する場合にも、同様に設備スペースに応じて浴水導入部に対する収容体の取り付け状態を変更できるので、非常に汎用性の高い一層実用的な構成となる。
【発明を実施するための最良の形態】
【００１９】
好適と考える本発明の実施形態（発明をどのように実施するか）を、図面に基づいて本発明の作用を示して簡単に説明する。
【００２０】
浴水循環ろ過システムＡの途中部（例えば、循環経路12を構成する配管12Ａの途中部）に、固定手段４Ｂを介して本薬剤注入装置を設置固定することができる。
【００２１】
従って、例えば、温泉施設などに既設された浴水循環ろ過システムＡに対しても、本薬剤注入装置を簡単に後付することが可能である。
【００２２】
ポンプ装置１を作動させると、浴槽２の浴水が集水され、この集水した浴水がろ過装置部３でろ過された後に再び浴槽２へと循環するが、この循環する浴水は、浴水循環ろ過システムＡ途中部の導入連通部７Ａから収容体６内へと導入され、この収容体６内で薬剤５と反応することで殺菌，消毒される。そして、この殺菌、消毒された浴水は、導出連通部７Ｂから浴水循環ろ過システムＡへと導出されることになる。即ち、浴水循環ろ過システムＡを運転することで、自動的に浴水の殺菌，消毒が行われることになる。
【００２３】
また、この際、開閉弁９により、浴水循環ろ過システムＡ（導入連通部７Ａ）から収容体６内へと導入する浴水の導入量を微調整することができるので、この微調整により導出連通部７Ｂ（収容体６）からの薬剤５と反応した浴水の導出量も微調整可能となる。従って、これにより例えば、収容体６内に人体に対して毒性の強い次亜塩素酸ナトリウムなどを収容して浴水と反応させる場合に、収容体６への浴水の導入量を微量に調整することで導出連通部７Ｂからの導出量も微量とすることができるので、薬剤５と反応した（塩素を含んだ）高い薬剤濃度の浴水が浴水循環ろ過システムＡに多量に流出することを防止でき、危険性を回避できることになる。
【００２４】
また、収容体６は、内部の薬剤５を透視することができるため、薬剤５の補充時期（減り具合）や浴水と薬剤５との反応状況を視認することができる。
【００２５】
また、本発明においては、開閉弁９を閉じることで前記浴水循環ろ過システムＡを運転停止せずに前記収容体６を開放して前記薬剤５を補充できる。従って、薬剤５の補充も簡単に行えるし、一々浴水循環ろ過システムＡを停止しないので、システムＡの運転効率が向上することになる。
【００２６】
また、本発明の薬剤注入装置は、浴水導入部４に収容体６を設けるだけの構成のため、小型化が可能であり、小型で取り扱い容易な装置を実現可能となる。
【００２７】
また、例えば、既設の浴水循環ろ過システムＡに本薬剤注入装置を設置した場合には、既存の浴水循環ろ過システムＡに備えられた薬注装置14は使用せずとも良いが、この薬注装置14を併用することも可能である。
【００２８】
即ち、例えば、図９に示すように、薬注装置14によって適宜な薬剤（Ａ剤）を注入し、本薬剤注入装置の収容体６内にも薬剤５（Ｂ剤）を収容しておき、この二種の薬剤が例えば浴水中で殺菌、消毒作用のある二酸化塩素水溶液に反応するようなシステムを構築することも、システムに無駄がなく、有効である。
【００２９】
また、このような二種の薬剤を混合させる浴水循環ろ過システムＡとすれば、夫々の薬剤は、例えば希釈したものなどの人体に危険性のないものを選択することも可能となり、薬剤の取り扱いが容易に行われるという効果も発揮することになる。
【００３０】
また、本薬剤注入装置を備えた浴水循環ろ過システムＡを新規に設備することも可能であるし、この場合、前記ろ過装置部３のない浴水循環消毒システムとすることも可能である。
【実施例】
【００３１】
本発明の具体的な実施例について図面に基づいて説明する。
【００３２】
本実施例の殺菌・消毒用薬剤注入装置は、浴水循環ろ過システムＡの途中部に対して固定可能な浴水導入部４に、浴水消毒用の薬剤５を収容可能な収容体６を開閉自在に設けている。
【００３３】
以下、具体的に説明すると、浴水導入部４は、図１に示すように、立方体型の基体４Ａに浴水循環ろ過システムＡの循環経路12を構成する配管12Ａの途中部に固定するための固定手段４Ｂを備えた構成としている。
【００３４】
この固定手段４Ｂについて説明すると、挟持受体15と、この挟持受体15に対設する挟持体16とで浴水循環ろ過システムＡの配管12Ａを挟持固定し得るように構成している。
【００３５】
更に詳しくは、挟持受体15は、基体４Ａの一つの外面と略同形状を呈するやや厚みのある方形板材を採用し、挟持体16は、基体４Ａの一つの外面の一辺と略同じ長さ寸法を有する角柱部材を採用している。
【００３６】
また、この挟持受体15と挟持体16との対向内面には、夫々湾曲面状の凹部15Ａ・16Ａを凹設し、この凹部15Ａ・16Ａ間に浴水循環ろ過システムＡの配管12Ａを安定的に挟持固定し得るように構成している。
【００３７】
また、この挟持受体15と挟持体16とは、取付杆17に支持されてこの取付杆17と共に基体４Ａに着脱自在に固定される構成としている。
【００３８】
更に詳しくは、挟持受体15の四隅に貫通孔15Ｂを形成し、この夫々の貫通孔15Ｂに取付杆17を装着している。
【００３９】
また、挟持体16の両端部に貫通孔16Ｂを形成し、この貫通孔16Ｂを介して前記四本の取付杆17のうち、図１，図２において左手前側に位置する二本の取付杆17の一端部（図面下端部）間に挟持体16を架設状態に装着すると共に、右奥側に位置する二本の取付杆17の一端部間にも挟持体16を架設状態に装着している。即ち、一つの挟持受体15に対し二つの挟持体16を対設させる構成としている。
【００４０】
また、挟持半体15は、貫通孔15Ｂを介して取付杆17に対しスライド自在に設け、挟持体16は、貫通孔16Ｂを介して取付杆17の一端部に対し抜け止め状態に設け、取付杆17はその長さ方向を軸として挟持半体15（貫通孔15Ｂ），挟持体16（貫通孔16Ｂ）に対し回動自在となるように設けている。
【００４１】
また、各取付杆17の挟持半体15側に存する他端部（図１，図２において上側となる端部）を螺子杆部17Ａとし、この螺子杆部17Ａを前記基体４Ａの所定の外面の四隅に形成した螺子孔に螺着することで固定手段４Ｂを基体４Ａに着脱自在に固定する構成としている。
【００４２】
また、この取付杆17の一端部外面には、回転工具操作用の操作部17Ｂを形成し、この操作部17Ｂを利用した回動螺動作動により一対の挟持半体15の対向間隔を広狭調整し得るように構成し、これにより様々な径寸法の配管12Ａに対応して挟持固定できる固定手段４Ｂとしている。
【００４３】
また、本実施例の収容体６は、透明な有底円筒本体６Ａの上部に、空気抜き弁19を備えた開閉蓋６Ｂを開閉自在に設けている。
【００４４】
また、この開閉蓋６Ｂは、円筒本体６Ａの上部に対して螺着することで、簡易な回動螺動操作により開閉し得る構造としている。
【００４５】
本実施例では、この収容体６を、前記基体４Ａの固定手段４Ｂを着脱自在に固定し得る所定の外面以外の外面に固定している（図１においては、固定手段４Ｂが固定される基体４Ａの下側外面とは反対側の上側外面に収容体６を固定している。）。
【００４６】
また、本実施例は、前記浴水導入部４に、前記浴水循環ろ過システムＡの途中部と前記収容体６内とを連通して前記浴水循環ろ過システムＡから循環する浴水を収容体６内へと導入可能な導入連通部７Ａと、収容体６内で前記薬剤５により消毒された浴水を浴水循環ろ過システムＡへと導出可能な導出連通部７Ｂとから成る浴水案内経路部７を設けている。
【００４７】
具体的には、収容体６が設けられた基体４Ａの外面から、基体４Ａ中心を通り反対側の外面に貫通する孔を形成すると共に、この貫通孔の中程から貫通孔に対し略直角方向へ延びて基体４Ａの側方の外面に貫通する貫通孔を形成し、この略Ｔ字形をなし三方が開口する貫通孔を導入連通部７Ａとしている。
【００４８】
また、この導入連通部７Ａと横方向に間隔を置いた並設状態にして、同じく略Ｔ字形の貫通孔で成る導出連通部７Ｂを基体４Ａに設けている。
【００４９】
また、この導入連通部７Ａと導出連通部７Ｂには開閉弁９を設けている。
【００５０】
具体的には、基体４Ａに、導入連通部７Ａと導出連通部７Ｂとの中心部に存し、且つこの導入連通部７Ａと導出連通部７Ｂとの並設方向に貫通する円形貫通部21を形成し、この円形貫通部21に、導入連通部７Ａの導入開閉弁９Ａと導出連通部７Ｂの導出開閉弁９Ｂを設けている。
【００５１】
この導入開閉弁９Ａと導出開閉弁９Ｂとは、前記円形貫通部21に嵌挿される円柱部材20に横並設状態に内装されている。更に詳しくは、導入開閉弁９Ａ，導出開閉弁９Ｂはいずれも導入連通部７Ａ，導出連通部７Ｂと同様のＴ字形をなす連通孔部（三方切替弁）により構成し、この円柱部材20を円形貫通部21に対し回転移動して、Ｔ字形の導入開閉弁９Ａ及び導出開閉弁９Ｂを回転移動させることで導入連通部７Ａ及び導出連通部７Ｂとを開閉できるように設けている。即ち、三方切替弁を切替えていずれか二方を連通開放させる弁構造としている。図中符号24は導入開閉弁９Ａ，導出開閉弁９Ｂの三方の各開口部を囲うように配される漏止用のパッキン（Ｏリング）であり、このパッキン24は円柱部材20の周面（円弧状曲面）に三次元加工された溝（曲面の位置によって深さに差が出ないように加工された溝）内に配設される構成としている。
【００５２】
また、この円柱部材20を回転移動することで、収容体６が図面下方に位置する浴水案内経路部７と連通する状態と、図面側方に位置する浴水案内経路部７と連通する状態とを切替えできるように各開閉弁９Ａ，９Ｂを構成している。
【００５３】
また、この導入開閉弁９Ａは、導入連通部７Ａより収容体６内へと導入する浴水の導入量を微調整可能に構成し、導出開閉弁９Ｂは、収容体６より配管12Ａへと導出する浴水の導出量を微調整可能な開閉弁に構成している。
【００５４】
具体的には、導入開閉弁９Ａ及び導出開閉弁９Ｂを回転移動させて導入連通部７Ａ及び導出連通部７Ｂとの連通口の面積を広狭調整することで、導入量及び導出量を微調整し得るように構成している。
【００５５】
また、この導入開閉弁９Ａ及び導出開閉弁９Ｂの回動調整構造は、円柱部材20の端部を基体４Ａの外面より露出するように設け、この基体４Ａより露出する円柱部材20の端部面にドライバーなどの回転工具で操作し得る操作部20Ａを形成して、この操作部20Ａを介し回転工具により簡単に調整が行われる構造としている。図中符号25は円柱部材20の両端部に当接してこの円柱部材20の円形貫通部21からの抜脱を阻止する抜止部材、26は抜止部材25を基体４Ａに固定するための止着具（ビス）である。また、操作部20Ａ周囲の抜止部材25表面には、弁調整の目安となる目盛を表示している。
【００５６】
また、本実施例では、この導入開閉弁９Ａ及び導出開閉弁９Ｂとを一つの円柱部材20に設けて、同時に開閉並びに導入出量調整が行われるように構成している。更に詳しくは、導入連通部７Ａが閉じると導出連通部７Ｂも閉じ、導入連通部７Ａが全開になると導出連通部７Ｂも全開となり、導入連通部７Ａが半開になると導出連通部７Ｂも半開となる構成としている。尚、例えば、二つの円柱部材20の別々に導入開閉弁９Ａと導出開閉弁９Ｂとを設けて、夫々を別々に操作し得るように構成しても良い。
【００５７】
また、本実施例では、導入連通部７Ａ及び導出連通部７Ｂの、配管12Ａ接続側となる導入口と導出口の内面に螺子溝を形成し、この導入口と導出口に連結管体22を螺着することでこの連結管体22を基体４Ａの外面より突設し得るように構成している。尚、配管12Ａとの連結にあたっては、この連結管体22の突出先端部を配管12Ａに形成した孔に配管12Ａの長さ方向と直交する方向から挿入することで、配管12Ａ内と収容体６とを連通状態とする構成としている。また、この連結管体22はその側面に導入口が設けられており、導入連通部７Ａに螺着する連結管体22は、その導入口を配管12Ａ内で循環する浴水の流れる方向に対して反対方向を向くようにして装着すると、浴水が導入連通部７Ａ（収容体６）に導入し易くなる。逆に、導出連通部７に螺着する連結管体22は、その導出口が浴水の流れる方向に対して反対方向を向かないようにして装着すると、配管12Ａへと導出し易くなる。
【００５８】
また、本実施例では、導入連通部７Ａと導出連通部７Ｂの導入口と導出口とが存する基体４Ａの図面下側の外面と所定の側方の外面との二面に、前記固定手段４Ｂを固定できるように構成している。即ち、収容体６の位置を上とした場合に、収容体６（基体４Ａ）の下方に配管12Ａを固定する固定態様と、収容体６の側方に配管12Ａを固定する固定態様とを使い分けできるように構成している。
【００５９】
従って、適用する既存の浴水循環ろ過システムＡに対して本薬剤注入装置を取り付けし易いように固定手段４Ｂの取付方向の二態様（図１，図６参照）を選択でき、更に、固定手段４Ｂの向きを略９０度変えることで、縦設配管12Ａに対しても横設配管12Ａに対しても取付固定できる構成としている（図６，図８参照）。
【００６０】
また、導入連通部７Ａには、収容体６内の上方位置にまで長く延設する延設管部を設け、この延設管部から収容体６内に導入した浴水は下方へと流れながら薬剤５と反応し、導出連通部７Ｂから導出する構成としている。
【００６１】
次に、本実施例の薬剤注入装置の、背景技術で説明した既存の浴水循環ろ過システムＡに対する設置方法並びに作動を説明する。
【００６２】
予め、所望の取付箇所に取り付け易いように、基体４Ａに対する固定手段４Ｂの固定位置を設定しておく。
【００６３】
浴水循環ろ過システムＡの循環経路12の配管12Ａの途中部に小孔を形成し、この小孔に導入連通部７Ａ及び導出連通部７Ｂの導入口と導出口に螺着した連結管体22を挿入し、固定手段４Ｂによりこの配管12Ａの途中部に挟持締付固定する。この際、収容体６は、開閉蓋６Ｂが上向となるように設置すると、薬剤５の補充を容易に行うことができる。
【００６４】
尚、本実施例では、ろ過装置部３と浴槽２との間の供給部11を構成する配管12Ａに薬剤注入装置を設置固定した場合を示している。このような設置構造とすると、ろ過装置部３でろ過された浴水が収容体６内へ導入するため、収容体６内にゴミなどが侵入しにくくなる。
【００６５】
収容体６に、殺菌，消毒作用のある薬剤５（固形が望ましい）を収容し、浴水循環ろ過システムＡを運転（ポンプ装置１を作動）させると、循環経路12を浴水が循環するが、この際、導入連通部７Ａから浴水が収容体６内に導入し、薬剤５と反応して殺菌，消毒された浴水が導出連通部７Ｂから配管12Ａへと導出して供給部11より浴槽２へと循環することになる。
【００６６】
また、導入連通部７Ａの導入開閉弁９Ａ、並びに導出連通部７Ｂの導出開閉弁９Ｂとを操作して、導入連通部７Ａ並びに導出連通部７Ｂを閉じたり、導入連通部７Ａ並びに導出連通部７Ｂの使用経路を変更したり、導入連通部７Ａより収容体６内へと導入する浴水の導入量並びに収納体６内から導出連通部７Ｂを介して配管12Ａへと導出する浴水の導出量を微調整することができる。
【００６７】
この導入開閉弁９Ａ及び導出開閉弁９Ｂによる導入連通部７Ａ及び導出連通部７Ｂの開閉作動、並びに導入量及び導出量の微調整に際しての作動を更に詳しく説明する。
【００６８】
図１０は、固定手段４Ｂを基体４Ａの下方の外面に固定した場合（図１の場合）の弁作動を示しているもので、この際、左側方の導入連通部７Ａ及び導出連通部７Ｂは、適宜な漏止部材27により密閉閉塞しておくと良い。左上図は開放状態を示している。この開放状態から左中図のようにやや円柱部材20を回転移動すると、導入連通部７Ａと導入開閉弁９Ａ及び導出連通部７Ｂと導出開閉弁９Ｂとが位置ずれし、両者の連通口面積が狭くなる。即ち、これにより導入連通部７Ａの浴水の導入量が制限され、且つ導出連通部７Ｂの導出量も制限される。この連通口面積は、円柱部材20の回転度合いを調整することで簡単に微調整できる。この微調整の状態から更に回転移動して左下図のように導入連通部７Ａと導入開閉弁９Ａ及び導出連通部７Ｂと導出開閉弁９Ｂとを完全に位置ずれさせることで閉塞状態となり、浴水の導入及び導出はストップする。また、この閉塞状態から更に回転させることで、右下図の状態までは閉塞状態であるが、右中図の状態で再び微調整可能状態となり、右上図の状態で完全に開放した状態となる。
【００６９】
また、図１１は、固定手段４Ｂを基体４Ａの図面において右側の外面に固定した場合（図６の場合）の弁作動を示している。詳細な作動説明は、上記と略同様であるため省略する。
【００７０】
本実施例は、導入開閉弁９Ａを閉じることで前記浴水循環ろ過システムＡを運転停止せずに前記収容体６を開放して前記薬剤５を補充することができる。この際、先ず空気抜き弁19によって収容体６内の圧力を下げ、その後に開閉蓋６Ｂを開放して収容体６内に薬剤５を補充する。
【００７１】
また、透明な収容体６は、内部の薬剤５を透視することができるため、薬剤５の補充時期や浴水と薬剤５との反応状況を視認することができる。
【００７２】
また、導入開閉弁９Ａによって導入連通部７Ａより収容体６内へと導入する浴水の導入量を微調整することができるし、導出開閉弁９Ｂによって導出連通部７Ｂより配管12Ａ（浴水循環ろ過システムＡ）への殺菌，消毒済浴水の導出量を微調整することができるので、例えば、収容体６内に人体に対して毒性の強い次亜塩素酸ナトリウムなどを収容して浴水と反応させる場合には、収容体６への浴水の導入量を微量に調整することで、薬剤５と反応した（塩素を含んだ）浴水が浴水循環ろ過システムＡに多量に流出せず、少しずつ流出させることができるので危険性を回避できることになる。
【００７３】
また、既存の浴水循環ろ過システムＡに設備された薬注装置14を利用することもでき、このようにすると、人体に有害な薬剤の原液を用いずとも良いために非常に有効となる。
【００７４】
即ち、既存の浴水循環ろ過システムＡの場合には、薬注装置14から、例えば次亜塩素酸ナトリウムの原液を注液することで循環中の浴水を殺菌，消毒していたが、次亜塩素酸ナトリウムの取り扱いに危険を伴う。
【００７５】
この点、本実施例の薬剤注入装置を用い、例えば、薬注装置14からは、取り扱いが容易な希釈薬剤液などのＡ剤を注入し、薬剤注入装置の収容体６には、Ａ剤と浴水中で例えば二酸化塩素水溶液に反応する取り扱い容易なＢ剤を収容しておくことで、危険性のない薬剤を取り扱うことが可能となる。
【００７６】
図中符号28はＯリングである。
【００７７】
尚、本実施例では、既存の浴水循環ろ過システムＡに簡単に後付できる薬剤注入装置を示したが、この薬剤注入装置を備えた浴水循環ろ過システムＡとして提供する構成としても良く、この場合薬注装置14やろ過装置部３のない浴水循環消毒システムに構成しても良い。
【００７８】
また、本発明は、本実施例に限られるものではなく、各構成要件の具体的構成は適宜設計し得るものである。
【図面の簡単な説明】
【００７９】
【図１】本実施例の使用状態を示す斜視図である。
【図２】図１の側断面図である。
【図３】図１の別角度からの側断面図である。
【図４】本実施例の分解斜視図である。
【図５】本実施例の開閉弁を示す部分拡大説明斜視図である。
【図６】本実施例の別使用状態を示す斜視図である。
【図７】図６の側断面図である。
【図８】図６の別使用状態を示す斜視図である。
【図９】本実施例の浴水循環ろ過システムを示す説明図である。
【図１０】図１の使用状態における開閉弁の作動説明図である。
【図１１】図６の使用状態における開閉弁の作動説明図である。
【図１２】従来の浴水循環ろ過システムを示す説明図である。
【符号の説明】
【００８０】
１  ポンプ装置
２  浴槽
３  ろ過装置部
４  浴水導入部
４Ｂ  固定手段
５  薬剤
６  収容体
７  浴水案内経路部
７Ａ  導入連通部
７Ｂ  導出連通部
９  導入開閉弁
10  集水部
11  供給部
12  循環経路
12Ａ  配管
Ａ  浴水循環ろ過システム
【図１】
2005211515.tif 000003
【図２】
2005211515.tif 000004
【図３】
2005211515.tif 000005
【図４】
2005211515.tif 000006
【図５】
2005211515.tif 000007
【図６】
2005211515.tif 000008
【図７】
2005211515.tif 000009
【図８】
2005211515.tif 000010
【図９】
2005211515.tif 000011
【図１０】
2005211515.tif 000012
【図１１】
2005211515.tif 000013
【図１２】
2005211515.tif 000014